(57)【特許請求の範囲】
【請求項１】
固体照明要素と、
前記固体照明要素のための駆動回路を収容しているベース部と、
前記固体照明要素を覆うように光混合チャンバを形成する上部筐体と、
ループ状アンテナと、
前記上部筐体の上部及び前記ループ状アンテナを覆うように延出する上カバー部と、
を備え、前記上部筐体が前記ループ状アンテナを保持する保持部材を備え、前記上部筐体が少なくとも前記光混合チャンバを画定する反射性内壁を備え、前記固体照明要素が前記反射性内壁の内側にあり、
前記上カバー部は、前記ループ状アンテナを隠す輝き効果を与えるために光のわずかな部分を伝える、照明ユニット。
【請求項２】
前記ベース部は熱拡散板及びヒートシンクを備え、前記熱拡散板及び前記固体照明要素は前記ベース部の上部にある、請求項１に記載の照明ユニット。
【請求項３】
前記上部筐体は、前記熱拡散板の開口にスナップ留めされる脚部を有する、請求項２に記載の照明ユニット。
【請求項４】
前記上部筐体は前記ループ状アンテナを覆うようにオーバーモールドされている、請求項１乃至３の何れか一項に記載の照明ユニット。
【請求項５】
前記保持部材は前記上部筐体の高さの上部４分の１にある、請求項１乃至４の何れか一項に記載の照明ユニット。
【請求項６】
前記ループ状アンテナは、少なくとも２７０度にわたって延出している、請求項１乃至５の何れか一項に記載の照明ユニット。
【請求項７】
前記固体照明要素は回路基板上に搭載され、前記ループ状アンテナは前記回路基板に平行な面内で延出している、請求項１乃至６の何れか一項に記載の照明ユニット。
【請求項８】
前記上部筐体は、前記固体照明要素が管状部分の下部にある前記光混合チャンバを形成する前記反射性内壁を持つ前記管状部分と、前記管状部分から半径方向外側に延出し、前記管状部分の上部にあるキャップ部とを有し、前記保持部材は前記キャップ部にある、請求項１乃至７の何れか一項に記載の照明ユニット。
【請求項９】
前記上部筐体及び前記ループ状アンテナを覆うカバーを備え、前記カバーは、少なくとも前記光混合チャンバを覆うような蓋部を有する、請求項１乃至８の何れか一項に記載の照明ユニット。
【請求項１０】
固体照明要素と、
前記固体照明要素のための駆動回路を収容しているベース部と、
前記固体照明要素を覆うように光混合チャンバを形成する上部筐体と、
ループ状アンテナと、
前記上部筐体及び前記ループ状アンテナを覆うカバーと、
を備え、前記上部筐体が前記ループ状アンテナを保持する保持部材を備え、前記上部筐体が少なくとも前記光混合チャンバを画定する反射性内壁を備え、前記固体照明要素が前記反射性内壁の内側にあり、
前記上部筐体は、前記光混合チャンバに至るチャネルを有し、
前記カバーは、
光散乱部であり、少なくとも前記光混合チャンバを覆うような蓋部と、
前記チャネルに配置された接続脚部と、
前記接続脚部によって前記蓋部に接続され、前記上部筐体の上部及び前記ループ状アンテナを覆うように延出する上カバー部と、
を備えている、照明ユニット。
【請求項１１】
前記ループ状アンテナは４分の１又は４分の３波長アンテナを含む、請求項１乃至１０の何れか一項に記載の照明ユニット。
【請求項１２】
前記固体照明要素は、複数のＬＥＤを備えている、請求項１乃至１１の何れか一項に記載の照明ユニット。
【請求項１３】
前記駆動回路は、無線ＲＦコマンドを受信するためのアンテナに結合されたＲＦ受信回路を備えている、請求項１乃至１２の何れか一項に記載の照明ユニット。
【発明の詳細な説明】
【技術分野】
【０００１】
本発明は、アンテナを組み込んだ固体照明ユニットに関する。
【背景技術】
【０００２】
屋内及び屋外の双方の用途向けの光源の無線制御は、ますます一般的になっている。インテリジェント照明が普及し、ＲＦ通信は、特に家庭環境及び職場環境で、ランプのこの遠隔管理に用いられる効果的な技術である。
【０００３】
ランプへの電力供給を制御する代わりに、無線制御を用いることで、照明デバイスにＲＦ制御信号を送信して光源は直接制御できる。
【０００４】
そのような光源の１つの例が、ＵＳ２０１２／０２７４２０８Ａ１号に開示されている。この照明デバイスは、電気抵抗が０．０１Ωｍ未満の材料で形成されたヒートシンク（例えば金属製ヒートシンク）を備え、これは筐体の一部であり、ＬＥＤ装置である光源からの熱を逃がす。
【０００５】
アンテナに接続された無線周波数通信回路は、ＲＦ信号通信によって遠隔制御でデバイスを制御できるように機能する。アンテナは、ヒートシンクの上方に取り付けられたリング形状のＰＣＢ上に形成されている。ＵＳ２０１３０１３６４５４Ａ１号は、反射構造及びアンテナを備えたＬＥＤ光源を開示している。反射構造の外側に発光要素が配置されている。反射構造は、拡散粒子を有し得る光学要素の方へ光を反射する。アンテナは反射構造の内側に配置されている。
【発明の概要】
【発明が解決しようとする課題】
【０００６】
既知の装置は、照明デバイス内の様々な位置に搭載された多数の部品を有し、このことが製造と組み立てを複雑にしている。
【０００７】
部品が少なく、製造と組み立てが容易であるランプを有することが有利である。
【課題を解決するための手段】
【０００８】
本発明は、以下の請求項によって規定される。
【０００９】
本発明の一態様によれば、
固体照明要素と、
固体照明要素のための駆動回路を収容しているベース部と、
固体照明要素を覆うように光混合チャンバを形成する上部筐体と、
ループ状アンテナと、
を備え、上部筐体がループ状アンテナを保持する保持部材を備え、上部筐体（１８）が少なくとも混合チャンバ（２０）を画定する反射性内壁を備え、固体照明要素（１０）が反射性内壁の内側にある、照明ユニットが提供される。
【００１０】
この装置は、光混合チャンバを形成する筐体部を用いてループ状アンテナを搭載する。このようにしてアンテナを駆動回路から離間させることができる。ループ状アンテナでは、スタブアンテナに比べて性能の向上が得られる。上部筐体を用いてループ状アンテナを搭載することで、照明ユニットを形成する部品の数及び複雑さが低減する。
【００１１】
ループ状アンテナは開ループ又は閉ループを形成する。これは、一端で駆動され、他端で駆動されないモノポール構造を形成するか、２つの開ループ分岐を備える中央部で駆動されるダイポール構造を形成するか、又は、閉ループを形成する。所望の波長及び／又は周波数がアンテナ要素の長さを決定すること、及び、上部筐体のサイズは、上部筐体のサイズに収めるために、そのような長さのアンテナ要素がどのようにループ状に曲げるかを決定できることは理解されよう。このため、開ループという言葉は、ＲＦ信号を発するようにアンテナ要素が任意の適切な角度で湾曲したアンテナを包含するように解釈されるべきである。以下で検討するように、好ましい角度は２７０度以上である。
【００１２】
一実施形態では、ベース部は熱拡散板及びヒートシンクを備え、熱拡散板及び固体照明要素はベース部の上部にある。
【００１３】
ループ状アンテナは、放射パターンがヒートシンク及び熱拡散版によって遮蔽されないように、熱拡散板及びヒートシンクよりも上方に搭載する。このようにして、アンテナ性能の向上を達成する。更に、ヒートシンク及び熱拡散板は、信号をアンテナに到達させるために大きい開口を必要としないので、熱放散機能を最適化することができる。
【００１４】
一実施形態では、上部筐体は例えば、熱拡散板の開口にスナップ留めされる脚部を有する。
【００１５】
この実施形態の利点は、組み立てが簡略化されることである。
【００１６】
一実施形態では、上部筐体はループ状アンテナを覆うようにオーバーモールドされている。
【００１７】
従って、上部筐体及びアンテナは単一ユニットを形成することができ、これは照明ユニットの組み立てを簡略化する。
【００１８】
一実施形態では、保持部材は上部筐体の高さの上部４分の１にある。
【００１９】
このようにアンテナは、照明要素により発生される熱から、及びヒートシンク／熱拡散板から離間して保持され、アンテナは例えば混合チャンバの上部の高さにある。アンテナは、ヒートシンク／熱拡散板によるＲＦブロッキングから守られる。
【００２０】
一実施形態において、ループ状アンテナは、好ましくは少なくとも２７０度にわたって延出している。
【００２１】
これにより、ほぼ全方向性の放射パターンを達成することができ、またアンテナ長を増大することができる。ループは実質的に円の全周に延出することができる。
【００２２】
一実施形態では、照明要素は好ましくは回路基板上に搭載され、ループ状アンテナは回路基板に平行な面内で延出している。
【００２３】
このため、ループ状アンテナは照明要素の周りを囲むように延出している。これによってアンテナは、電球のデザインに嵌め込まれ、電球の長手方向の軸の周りに延出することができる。これはコンパクトなデザインを可能とするが、長いアンテナ長も可能とする。
【００２４】
一実施形態において、上部筐体は好ましくは、固体照明要素が管状部分の下部にある光混合チャンバを形成する反射性内壁を持つ管状部分と、管状部分から半径方向外側に延出し、管状部分の上部にあるキャップ部とを有し、前記保持部材は前記キャップ部にある。
【００２５】
従って上部筐体は、光混合チャンバの画定及びアンテナの支持の提供という２つの機能を実現する。よって、これは、電気的／機械的機能及び光学的機能の双方を実現する。
【００２６】
一実施形態では、照明ユニットは更に、上部筐体及びアンテナを覆うようなカバーを備える。カバーは、少なくとも混合チャンバを覆うような光散乱部を有する。
【００２７】
カバーは照明要素からの光を散乱させるように機能するので、例えば照明要素又は多数の個別の照明要素は外側からは見えず、光はより柔らかく拡散される。また、カバーは、アンテナを見えなくすることで照明ユニットの外見の向上を図る。
【００２８】
一実施形態では、上部筐体は、混合チャンバに至るチャネルを有する。カバーは、
光混合チャンバを覆うような蓋部と、
チャネルに配置された接続脚部と、
接続脚部によって蓋部に接続され、上部筐体の上部及びアンテナを覆うように延出する上カバー部と、
を備えている。
【００２９】
蓋部は、混合チャンバのための光拡散部として機能し、光の大部分を発する。脚部は光のわずかな部分を上カバー部内へ伝達し、上カバー部はこの光のわずかな部分を伝えて輝き効果を生じ、これもまたアンテナ及び他の内部部品を隠す。この実施形態は、キャンドルランプとしていっそう適している。
【００３０】
一実施形態では、アンテナは好ましくは４分の１又は４分の３波長アンテナを含む。
【００３１】
アンテナ長は、例えばＺｉｇｂｅｅ規格の波長等、使用する波長の関数として選択される。この場合、約２９ｍｍのループ直径を用いて４分の３波長アンテナが実現され得る。
【００３２】
固体照明要素は、好ましくは複数のＬＥＤを備えている。
【００３３】
混合チャンバは、例えば異なる色である多数のＬＥＤからの光を混合するように機能する。
【００３４】
駆動回路は、好ましくは、無線ＲＦコマンドを受信するためのアンテナに結合されたＲＦ受信回路を備えている。これらは１ＧＨｚから３ＧＨｚ帯域であり、例えば約２．４ＧＨｚとすることができる。
【００３５】
本発明のこれら及び他の態様は、以下に説明される実施形態（複数の実施形態）を参照して説明され明らかとなるであろう。
【図面の簡単な説明】
【００３６】
ここで、添付図面を参照して本発明の例について説明する。
【００３７】
【図１】本発明の一例に従った照明ユニットを構成する部品を概略図で示す。
【図２】ベースからカバーまでの構造の一例を更に詳細に示す。
【図３】ベースから上部筐体までの構造の一例を更に詳細に示す。
【図４】照明ユニットの無線性能／リターンロスをシミュレーションするためのシミュレーションモデルを示す。
【図５】アンテナデザインのリターンロスを示す。
【図６】プロトライプのリターンロス及びインピーダンス測定結果を示す。
【図７】プロトタイプにおける接地面よりも上の２つの高さについてのインピーダンス測定結果を示す。
【図８】プロトタイプの３つの直交平面における放射パターンを示す。
【発明を実施するための形態】
【００３８】
本発明は、固体照明要素を備えた照明ユニットを提供する。上部筐体は固体照明要素を覆うように光混合チャンバを形成し、ループ状アンテナは上部筐体によって保持されている。これにより、混合チャンバを画定する部品を利用して、ループ状アンテナを照明要素の上方の所定位置に保持し、従って照明要素が発生する熱から、更に金属製ヒートシンク又は熱拡散構成要素から遠ざけて保持する。
【００３９】
図１は、本発明の一例に従った照明ユニットを構成する部品を概略図で示す。
【００４０】
図示のように、照明ユニットは、標準的なキャンドル型の白熱電球用のＬＥＤベースの交換部品である。本発明の実施形態に従った照明ユニットはキャンドル型電球に限定されないことに留意すべきである。
【００４１】
照明ユニットは１つ以上のＬＥＤ１０を備えている。これらは、熱拡散板１６によって支持されたＰＣＢ上に搭載されている。ＲＦ受信又は送信回路１１を搭載する別のＰＣＢも設けられている。ＬＥＤは異なる色としてもよく、又は全て同一の色としてもよい。色出力も制御可能とするか、又は固定としてもよい。
【００４２】
ＬＥＤは、照明ユニットのベース部１２の上部に搭載されている。ベース部は、ＬＥＤから、特に熱拡散板１６からの熱を放散させるための金属製ヒートシンクを含む。ベース部１２は、この例ではねじキャップ電気コネクタ１３を含む。むろん、同一のデザインが差し込みピン又はピンベースのコネクタに適用されてもよい。ベース部は、ＬＥＤ１０のための駆動回路１４を収容している。
【００４３】
照明ユニットの上部は、透明であるか又は散乱性である外側カバー１７とレンズ部１５とを備えている。
【００４４】
本発明は、アンテナを構造内に一体化する手法に関する。ＬＥＤを覆うように上部筐体１８が取り付けられ、例えば多数のＬＥＤからの光出力を混合するため、又は大きいエリアの出力を与えることで単一のＬＥＤの点光源の性質を隠すための光混合チャンバ２０を形成する。このコンテキストにおいて「上部（ｕｐｐｅｒ）」とは、ベースよりも上方すなわち電球の発光部へ向かう方向を意味する。むろん、使用時に構造を逆さにして、ベースを上にすると共に発光ドームを下にすることも可能である。
【００４５】
上部筐体によってループ状アンテナ２２が保持されている。このように、アンテナはＬＥＤの上方で浮いた状態に形成され、熱拡散板１６又はベース部１２のヒートシンクによって遮蔽されることなく放射パターンを提供することができる。
【００４６】
上部筐体１８及びアンテナ２２を覆うようにカバー２４が設けられている。このカバーは、少なくとも混合チャンバを覆うような光散乱部を有する。
【００４７】
図１は、基本的な部品を簡略化して分解図で示す。
【００４８】
図２は、ベース１２からカバー２４までの構造の一例を更に詳しく示す。
【００４９】
ＬＥＤ１０は各ＰＣＢ２３上に搭載されている。混合チャンバ２０は、ＬＥＤ１０を覆うように形成され、反射性の内壁を有する円筒形又は円錐形の封入部（ｅｎｃｌｏｓｕｒｅ）を含む。混合チャンバは、上部筐体１８の成形形状によって形成されている。図２は、上部筐体１８が保持部材１９を有することを更に詳しく示す。これは、更に具体的には、上部筐体及びアンテナを単一の部品として組み立てることを可能とするようにアンテナ２２を把持するためのくぼみである。実際は、上部筐体はループ状アンテナ２２を覆うようにオーバーモールドすることができる。
【００５０】
保持部材１９は、上部筐体の上部にあり、更に一般的には上部筐体の高さの上部４分の１にある。これは、保持部材によってアンテナを熱拡散板及びＬＥＤから離間して保持することを意味する。アンテナは、上部筐体１８の半径方向外側の壁に沿って保持されて、アンテナと照明ユニットのヒートシンクとの間のＲＦ信号へのブロッキングを最小限に抑える。
【００５１】
ループ状アンテナは、典型的には少なくとも２７０度にわたって延出しているが、好ましくはほぼ完全なループを構成する。すなわち、好ましくは３００度超、更に好ましくは３３０度超にわたって延出している。電球の長手方向の軸が垂直に取り付けられていると想定すると、ループは水平面内にある。換言すると、ループ状アンテナは、ＬＥＤ１０を担持する回路基板２３に平行な面内で延出している。
【００５２】
図示された例におけるアンテナはモノポールアンテナであり、その一端がＲＦ回路に単一接続し、他端は接続されていない。ＲＦ回路と不平衡アンテナとの間にバルン（図示せず）が設けられている。代替案としてダイポールアンテナがある。この場合、ＲＦ回路に到達するために２つの接続が必要であるが、これらは同一位置とすることができる。ダイポールアンテナの各側は約１３５度から１８０度にわたって延出し、これらが共にループ形状を形成する。２つの自由端は、モノポールバージョンのための図３に示されるようなテール部を有するだろう。平衡伝送ラインによってアンテナをＲＦ回路に接続することができる。
【００５３】
カバー２４は、上部筐体１８及びアンテナ２２を覆うように取り付けられ、多数の機能を有する。混合チャンバ２０を覆うように光散乱部２８が設けられ、これは、個々のＬＥＤ又は複数のＬＥＤをユーザから視覚的に隠すように機能する。この部分２８はカバーの蓋部である。
【００５４】
更に、蓋部２８は接続脚部３０によって上カバー部３２に接続する。上カバー部３２はカバーの上部及びカバーの側部として延出し、上部筐体１８の上部及びアンテナ２２を覆うように延出している。このように、アンテナは見えないようになっている。この上カバー部は半透明で輝きがあり、光は接続脚部３０を介して上カバー部３２に到達することができる。これは、照明ユニットからの主照明に加えて、微妙な照明効果を与える。
【００５５】
上述のように、上部筐体１８及びアンテナ２２は、組み立ての観点からは単一の部品となる。上部筐体１８は、熱拡散板１６の開口にスナップ留めされる脚部３４を有するので、所定位置に留めることができる。
【００５６】
図３は図２と同じ構造を示すが、カバーは図示されず、断面図でなく斜視図である。
【００５７】
上部筐体１８は、カバー２４の脚部３０を受容するためのチャネル又は溝２６を有する。図３は、アンテナが嵌められる連続的なくぼみとして保持部材１９も示す。しかしながら、この代わりに、アンテナが保持される別々のポイントのみがあってもよい。例えば、ループ状アンテナ２２を保持するための３つの把持ポイントがある場合がある。むろん、把持ポイントがより少ないか、もしくはより多くてもよく、又は、アンテナを所定位置に保持する連続的なループ、もしくはほぼ連続的なループであってもよい。
【００５８】
ＲＦ受信又は送信回路１１を搭載する別のＰＣＢは、熱拡散板１６の下に取り付けられ、このため図２及び図３では見ることができない。このＰＣＢは、例えばねじによって熱拡散板に保持されている。図３に見られるように、ループ状アンテナの一端は熱拡散板１６の孔を貫通して、その下のＲＦ回路に至る。他方の自由端はテール部を有する。
【００５９】
熱拡散板１６は、金属ヒートシンク本体として機能するベース１２に、ねじによって取り付けられている。これは図２及び図３で見ることができる。ＲＦ回路の接地面は、ヒートシンク本体及び熱拡散板に電気的に接続されているか、又はヒートシンク本体及び熱拡散板に容量的に結合されている。
【００６０】
アンテナは、好ましくは、４分の１波長又は４分の３波長アンテナを含む。
【００６１】
このデザインでは、カバー２４及び上部筐体１８はプラスチック製の部品とすることができ、熱拡散板１６及びベース１２は金属製の部品である。光学部品１５、１７はガラス又はプラスチックとすればよい。
【００６２】
プロトタイプに基づいて、アンテナのＲＦ性能のシミュレーション及び試験を行った。試験及びシミュレーションの結果は一致した。
【００６３】
図４に示すシミュレーションモデルは、使用する電界シミュレーションソフトウェアが制限されているために必要な矩形表現である。金属ヒートシンク及び上部熱拡散部は、水平ホイップアンテナのための接地面として作用する。それらはモデルにおいてブロック要素である。
【００６４】
図５は、周波数（単位はＧＨｚ）の関数としてシミュレーションしたＳ１１リターンロスを示す。リターンロスシミュレーションは、極めて有望であり、Ｚｉｇｂｅｅ帯域全体にわたって−１０ｄＢよりも良好なＳ１１値を示す。アンテナのシミュレーションした寸法は直径３３ｍｍである。
【００６５】
図６（ａ）は、プロトタイプについて測定したインピーダンスを示し、図６（ｂ）はリターンロスを示す。キャンドル型プロトタイプのインピーダンス及びリターンロスを測定し、Ｓ１１＜−１０ｄＢの広い周波数範囲をマッチング後に得ることができた。マッチングは、直列マッチングネットワークによって、又はアンテナの寸法及び位置を調整することによって可能である。接地面に対するアンテナの全長及び先端の位置がマッチングに影響する。接地面に対する先端のキャパシタンスを電気的調整成分として用いることができる。
【００６６】
図６（ａ）において、プロット５０は非マッチング装置に対するものであり、プロット５２は、先端の位置及び全長を変えることでマッチングした装置に対するものである。ポイント１は２．４００ＧＨｚ、ポイント２は２．４４０Ｇｈｚ、ポイント３は２．４８０ＧＨｚである。対応する複素インピーダンス値は、１３．９５〜２９．６１ｊ、１４．３０〜２１．４６ｊ、及び１５．７３〜１２．３５ｊである。
【００６７】
図６（ｂ）において、プロット５４は非マッチング装置に対するものであり、プロット５６はマッチングした装置に対するものである。ポイント１は２．４００ＧＨｚ、ポイント２は２．４４０Ｇｈｚ、ポイント３は２．４８０ＧＨｚである。非マッチングの場合、ポイント１は３．６ｄＢ、ポイント２は４．２ｄＢ、ポイント３は５．０ｄＢである。マッチングした場合、ポイント１は１０．４ｄＢ、ポイント３は９．８ｄＢである。
【００６８】
接地面よりも上のアンテナの高さは、達成可能なリターンロスに影響する。アンテナのインピーダンスは接地面から離れるにつれて高くなる。インピーダンスが高くなればなるほど、アンテナの放射が良好になる。同様の効果があるのは、アンテナの全長を４分の１波長から４分の３波長に増大した場合である。インピーダンスは増大し、アンテナの放射は良好になる。
【００６９】
図７は、プロトタイプにおける接地面よりも上の２つの高さについてのインピーダンス測定結果を示す。図７（ａ）は高さ４ｍｍを示し、図７（ｂ）は高さ５ｍｍを示す。１、２、３として示すポイントはこの場合も、２．４００ＧＨｚ、２．４４０ＧＨｚ、２，４８０ＧＨｚである。図７（ａ）では、対応するリターンロスの値は、２．０ｄＢ、２．４ｄＢ、２．８ｄＢである。図７（ｂ）では、対応するリターンロスの値は、３．５ｄＢ、４．２ｄＢ、５．０ｄＢである。
【００７０】
アンテナ長はｎ＊１／４λに選択される。ここで、モノポール構造ではｎ＝１、３、５等であり、ダイポール構造ではｎ＝２、４等である。水平ループ構成により、光学干渉なしで、約２９ｍｍの直径に対応した長さ３／４λのアンテナの実施が可能となる（２９ｍｍｘπ＝９１ｍｍ）。このループサイズで、この構成で用いるアンテナの垂直脚部及び材料を考慮に入れて、３／４λ性能が得られる。
【００７１】
放射パターンは、実際のアンテナ使用にとって最も重要な特徴である。シミュレーション及びプロトタイプによって、照明装置の中心軸を横断する３つの全ての平面で、双方の偏光についてパターンは良好な均一性を示すことが実証されている。これは、照明ユニットの向きに関係なく良好なＲＦ性能を与える。
【００７２】
図８は、プロトタイプのこれら３つの直交平面における角度放射パターンを示す。軸については、ｘ及びｙを水平面内、ｚを垂直方向（すなわち図１の上下方向）として定義する。図８（ａ）はｘｙ平面を示し、図８（ｂ）はｘｚ平面を示し、図８（ｃ）はｙｚ平面を示す。
【００７３】
それぞれの場合で、ｄＢｍ／ｍの信号を半径方向にプロットする（数をｙ軸上に示す）。最小値と最大値で円を描き、それらの値を示す。２つの円の間の非円形のプロットはアンテナ応答であり、平均値を示す（図８（ａ）では−４．４５ｄＢｍ／ｍ、図８（ｂ）では−６．１８ｄＢｍ／ｍ、図８（ｃ）では−３．２９ｄＢｍ／ｍ）。
【００７４】
一端に単一のアンテナ接続を有するループ状アンテナ（すなわち電気的にホイップ構造の形態）は、実質的にダイポールアンテナの半分である。完璧な接地面より上方で水平方向に搭載された場合、４分の１波長ホイップは、半波ダイポールの２倍（すなわち３ｄＢ大きい）、すなわち５．１９ｄＢｉの利得を有し、放射抵抗は３６．８オームである。
【００７５】
しかしながら、接地面なしでは、利得は低減し、放射抵抗は増大する。車両に搭載されるホイップは、車両の金属外殻（ｍｅｔａｌ  ｓｋｉｎ）を接地面として用いる。ハンドヘルドデバイスでは、通常、明らかな接地面は設けられず、アンテナの給電ラインの接地側をデバイス回路基板上の接地に接続するだけである。従って、デバイス自体と、おそらくはユーザの手が、基本的な接地面として機能する。これと同じ原理が、熱拡散板及びヒートシンクがＲＦデバイス接地に接続された上記のアンテナで用いられる。
【００７６】
本発明は、特に照明ユニットの物理的設計に関連している。この理由で、駆動部及びＲＦ回路の電気的動作については詳細に説明しない。電気回路の一部としてアンテナマッチング回路を使用可能であることは、当業者には周知である。
【００７７】
更に、多数のアンテナを用いてもよく、又は、単一のダイポールアンテナを１対のアンテナ要素として形成し、各要素が上述した設計であるが一緒にループ形状を形成することも可能である。
【００７８】
本発明は、スペースが広く障害物が少ないベースの外側にアンテナを搭載することを可能とする。更に、ヒートシンクに開口は必要ない。
【００７９】
特許請求する本発明を実施する際には、図面、開示、添付の特許請求の範囲を検討することから、開示する実施形態の他の変形を当業者によって理解し実施することができる。特許請求の範囲において、「備える（ｃｏｍｐｒｉｓｉｎｇ）」という言葉は他の要素又はステップを除外せず、不定冠詞「ａ」又は「ａｎ」は複数を除外しない。相互に異なる独立項に特定の尺度（ｍｅａｓｕｒｅｓ）が記載されているという事実だけで、これらの尺度を組み合わせて有利に使用することが不可能であると示されるわけではない。特許請求の範囲におけるいかなる参照記号も範囲を限定するものとして解釈されない。
【図１】
0006306214.tif 000002
【図２】
0006306214.tif 000003
【図３】
0006306214.tif 000004
【図４】
0006306214.tif 000005
【図５】
0006306214.tif 000006
【図６ａ】
0006306214.tif 000007
【図６ｂ】
0006306214.tif 000008
【図７ａ】
0006306214.tif 000009
【図７ｂ】
0006306214.tif 000010
【図８ａ】
0006306214.tif 000011
【図８ｂ】
0006306214.tif 000012
【図８ｃ】
0006306214.tif 000013